(57)【要約】【課題】大型商品であっても効率的に収納することのできる自動販売機の商品収納コラムを提供する。【解決手段】商品通路３内に位置する商品保持体３０が斜め上方に向かって傾斜をなすようにしたので、商品通路３の幅寸法よりも大きな商品Ａを斜めに載置することができ、大型の商品Ａを効率的に収納することができる。また、商品保持体３０に、チェーン２０に係合する係合部３１ａと、係合部３１ａの係合する連結ピン２２の下方向の連結ピン２２に当接する当接部３１ｂとを設け、当接部３１ｂを商品保持体３０が前記の傾斜をなすような位置で連結ピン２２に当接させるようにしたので、簡単な構造によって商品保持体３０を確実に傾斜させて保持することができる。【選択図】  図１
2004326354.tif 000002
【特許請求の範囲】
【請求項１】
上下一対のスプロケットに巻き掛けられた無端状のチェーンと、一端をチェーンに係合することによってチェーンに取付られ、チェーンの周方向に互いに間隔をおいて配置された複数の商品保持体と、チェーンの前後方向一端側に形成された商品通路とを備え、商品通路内に位置する商品保持体に商品を載置し、商品を載置した商品保持体がチェーンの下端まで下降すると、商品保持体を反転させて商品を商品保持体から落下搬出させるようにした自動販売機の商品収納コラムにおいて、
前記商品通路内に位置する各商品保持体が斜め上方に向かって互いに傾斜をなすように構成した
ことを特徴とする自動販売機の商品収納コラム。
【請求項２】
前記商品保持体に、チェーンの連結ピンに係合する係合部と、係合部の下方でチェーン側に当接する当接部とを設け、当接部を商品保持体が前記傾斜をなす位置でチェーン側に当接するように形成した
ことを特徴とする請求項１記載の自動販売機の商品収納コラム。
【請求項３】
前記商品保持体を、一端側をチェーン側に係合する本体部と、本体部の他端側に回動自在に連結された可動部とから形成した
ことを特徴とする請求項１または２記載の自動販売機の商品収納コラム。
【請求項４】
前記本体部及び可動部の商品載置面が互いに略同一平面をなす方向に可動部を本体部に対して付勢する付勢手段を前記商品保持体に設けた
ことを特徴とする請求項３記載の自動販売機の商品収納コラム。
【発明の詳細な説明】
【０００１】
【発明の属する技術分野】
本発明は、箱入り菓子や紙パック入り飲料等の商品を収納可能な自動販売機の商品収納コラムに関するものである。
【０００２】
【従来の技術】
従来、この種の自動販売機の商品収納コラムとしては、上下に配置された一対のスプロケットと、各スプトケットに巻き掛けられた無端状のチェーンと、一端をチェーンに係合することによってチェーンに取付られ、チェーンの周方向に商品の高さ寸法に応じて互いに間隔をおいて配置された複数の商品保持体とを備え、商品が載置可能な位置にあるときは商品載置面が略水平をなすようにして、その商品保持体に商品を載置するとともに、商品を載置した商品保持体がチェーンの下端まで下降すると、商品保持体を反転させて商品を商品保持体から落下搬出させるようにするようにしたものが知られている（例えば、特許文献１参照。）。
【０００３】
【特許文献１】
特許第３３４４５４１号公報
【０００４】
【発明が解決しようとする課題】
しかしながら、従来の自動販売機の商品コラムでは、各商品保持体を商品載置面が水平になるように設けているため、コラムの商品通路の幅寸法よりも大きな商品はコラムに収納することができないという問題点があった。また、このような大型商品にはコラム内に縦長に配置して収納することもできるが、この場合は商品保持体を配置する間隔が大きくなり、その分だけ商品の収納数が少なくなるという問題点があった。
【０００５】
本発明は前記問題点に鑑みてなされたものであり、その目的とするところは、大型商品であっても効率的に収納することのできる自動販売機の商品収納コラムを提供することにある。
【０００６】
【課題を解決するための手段】
本発明は前記目的を達成するために、請求項１では、商品通路内に位置する各商品保持体が斜め上方に向かって互いに傾斜をなすように構成している。これにより、商品保持体に商品通路の幅寸法よりも大きな商品が斜めに載置される。
【０００７】
また、請求項２では、請求項１の商品収納コラムにおいて、商品保持体に、チェーンの連結ピンに係合する係合部と、係合部の下方でチェーン側に当接する当接部とを設け、当接部を商品保持体が前記傾斜をなす位置でチェーン側に当接するようにように形成している。これにより、請求項１の作用に加え、商品保持体の当接部が商品保持体が傾斜をなす位置でチェーン側に当接することから、簡単な構造によって商品保持体が傾斜状態で保持される。
【０００８】
また、請求項３では、請求項１または２の商品収納コラムにおいて、商品保持体を、一端側をチェーン側に係合する本体部と、本体部の他端側に回動自在に連結された可動部とから形成している。これにより、請求項１または２の作用に加え、商品保持体がチェーンの上端で可動部を回動させながら反転させることが可能である。
【０００９】
また、請求項４では、請求項１、２または３の商品収納コラムにおいて、本体部及び可動部の商品載置面が互いに略同一平面をなす方向に可動部を本体部に対して付勢する付勢手段を前記商品保持体に設けている。これにより、請求項１、２または３の作用に加え、チェーンの上端で反転した商品保持体が常に商品載置可能な状態に維持される。
【００１０】
【発明の実施の形態】
図１乃至図５は本発明の一実施形態を示すもので、図１は商品コラムの全体側面図、図２は商品収納コラムの要部側面図、図３は商品保持体の平面図、図４は商品保持体の側面図、図５は商品保持体の側面断面図である。
【００１１】
この商品収納コラムは、互いに間隔をおいて対向する一対の側板１，２と、上下に配置された一対のスプロケット１０と、各スプロケット１０に巻き掛けられた無端状のチェーン２０と、一端をチェーン２０に係合することによってチェーン２０に取付られ、商品Ａを載置する複数の商品保持体３０とから構成され、チェーン２０と一方の側板１との間には商品通路３が形成されている。
【００１２】
各スプロケット１０は各側板１，２間の上端側及び下端側にそれぞれ配置され、一方のスプロケット１０は、図示しないモータにより回動するようになっている。
【００１３】
チェーン２０は多数のリンク２１と、各リンク２１同士を回動自在に連結する多数の連結ピン２２とからなり、各連結ピン２２の両端はそれぞれ左右方向へ所定長さだけ延びるように形成されている。
【００１４】
各商品保持体３０は、チェーン２０側に配置される本体部３１と、本体部３１の先端側を形成する可動部３２とからなり、可動部３２は本体部３１に回動自在に連結されている。本体部３１の一端側には、チェーン２０の連結ピン２２と係合する幅方向一対の係合部３１ａと、係合部３１ａが係合する連結ピン２２の下方でチェーン２０側の連結ピン２２に当接する幅方向一対の当接部３１ｂとが設けられている。係合部３１ａは本体部３１の一端から商品載置面３１´に対して垂直に立ち上りチェーン２０の連結ピン２２に係合するようにフック状に形成され、その先端には爪状の突起３１ｃをフック状部分の内部に向かって突設している。また、当接部３１ｂは本体部３１の商品載置面３１´に対して平行な方向に係合部３１ａよりも所定長さＬだけ長く延びている。商品保持体３０が商品通路３内に位置するときに商品載置面３１´が所定の傾斜角度を成すように形成している。
【００１５】
可動部３２は本体部３１の他端側に連結軸３４を介して連結され、本体部３１には可動部３２の回動を、本体部３１の商品載置面３１´と可動部３２の商品載置面３２´とが同一平面をなす位置で規制するストッパ部３２ａが設けられている。この場合、可動部３２は連結軸３４に巻回された付勢手段としてのバネ３３によって、可動部３２の商品載置面３２´が本体部３１の商品載置面３１´と同一平面をなす方向に付勢されている。
【００１６】
以上のように構成された商品収納コラムにおいては、チェーン２０の連結ピン２２に商品保持体３０の係合部３１ａを係合させることにより、商品保持体３０がチェーン２０に取り付けられ、各商品保持体３０は互いにチェーン２０の周方向に間隔をおいて配置される。
【００１７】
このとき、商品保持体３０の当接部３１ｂは係合部３１ａよりも商品載置面３１´，３２´に平行な方向に長く形成されているので、当接部３１ｂが連結ピン２２に当接すると、商品載置可能な商品保持体３０が斜め上方に向かって傾斜をなすように保持される。
【００１８】
この商品収納コラムでは、商品通路３内に位置する各商品保持体３０に商品Ａが配置され、商品Ａを載置した商品保持体３０が下降するようにチェーン２０が回動する。その際、商品Ａを載置した商品保持体３０がチェーン２０の下端まで下降すると、商品保持体３０が反転して商品Ａが商品保持体３０から落下搬出される。
【００１９】
チェーン２０の下端で反転した商品保持体３０は、係合部３１ａのみでチェーン２０の連結ピン２２に吊り下げられた状態で支持される。この商品保持体３０は側板２側を上昇し、チェーン２０の上端まで上昇すると、側板１側へ反転する。その際、商品保持体３０の可動部３２が側板２に当接しながら回動することから、商品保持体３０の回動が側板２によって妨げられることはない。また、側板１側に反転した商品保持体３０は、前述と同様、斜め方向に向かって傾斜した状態で保持され、商品Ａを載置可能な状態となる。その際、商品保持体３０の可動部３２はバネ３３により本体部３１と同一平面をなすように回動する。
【００２０】
このように、本実施形態の商品収納コラムによれば、商品通路３内に位置する商品保持体３０が斜め上方に向かって傾斜をなすようにしたので、商品通路３の幅寸法よりも大きな商品Ａを斜めに載置することができ、大型の商品Ａを効率的に収納することができる。
【００２１】
また、商品保持体３０に、チェーン２０に係合する係合部３１ａと、係合部３１ａの係合する連結ピン２２の下方向の連結ピン２２に当接する当接部３１ｂとを設け、当接部３１ｂを商品保持体３０が前記の傾斜をなすような位置で連結ピン２２に当接させるようにしたので、簡単な構造によって商品保持体３０を確実に傾斜させて保持することができる。
【００２２】
また、商品保持体３０に本体部３１に回動自在に連結する可動部３２を設けたので、商品保持体３０がチェーン２０の上端で可動部３２を回動させながら反転することができ、商品保持体３０の反転スペースを小さくすることができる。これにより、商品収納コラム本体の小型化を図ることができる。
【００２３】
また、商品保持体３０の可動部３２をバネ３３によって本体部３１に対して商品載置面３１´，３２´が同一平面をなす方向に付勢するようにしたので、チェーン２０の上端で反転した商品保持体３０を確実に商品載置可能な状態に復帰させることができ、商品収納作業を常に支障なく行うことができる。
【００２４】
【発明の効果】
以上説明したように、請求項１の商品収納コラムによれば、商品通路の幅寸法よりも大きな商品を斜めに収納することができるので、大型の商品であっても効率的に収納することができ、より多くの種類の商品の販売が可能となる。
【００２５】
また、請求項２では、請求項１の効果に加え、簡単な構造によって商品保持体を確実に傾斜状態で保持することができるので、部品点数及び製造コストを増加させることがなく、生産性の向上を図ることができる。
【００２６】
また、請求項３では、請求項１、２の効果に加え、商品保持体の反転スペースを小さくすることができるので、商品コラム本体が大型化することがないという利点がある。
【００２７】
また、請求項４では、請求項１、２または３の効果に加え、チェーンの上端で反転した商品保持体を確実に商品載置可能な状態に復帰させることができるので、商品収納作業を常に支障なく行うことができる。
【図面の簡単な説明】
【図１】本発明の一実施形態を示す自動販売機の商品収納コラムの全体側面図
【図２】商品収納コラムの要部側面図
【図３】商品保持体の平面図
【図４】商品保持体の側面図
【図５】図２のＡ−Ａ断面図
【符号の説明】
３…商品通路、１０…スプロケット、２０…チェーン、２２…連結ピン、３０…商品保持体、３１…本体部、３１ａ…係合部、３１ｂ…当接部、３２…可動部、３１´，３２´…商品載置面、Ａ…商品。
【図１】
2004326354.tif 000003
【図２】
2004326354.tif 000004
【図３】
2004326354.tif 000005
【図４】
2004326354.tif 000006
【図５】
2004326354.tif 000007